(57)【要約】【課題】ねじ止めやナット締めをすることなく、発光管とホルダの取り付け及び、保持枠とホルダとの取り付けができ且つ発光管の交換やメンテナンスが容易にできる照明装置を提供する。【解決手段】本発明による照明装置１は、保持枠７の照明用開口部１５から保持枠７内に挿入する略円筒形状の発光管９と、保持枠７の照明用開口部１５から保持枠７内に挿入し且つ発光管９の一端部に設ける一端側ホルダ１１と、保持枠７の照明用開口部１５から保持枠７内に挿入し且つ発光管９の他端部に設ける他端側ホルダ１３とを備え、各ホルダ１１、１３は、内部に設けた発光管回転規制部３１と、外周部に設けて保持枠７に係止する被係止部３３、３５とを有し、発光管９の各端部から端部側外周面に係脱自在に被着している。【選択図】      図１
2004288591.tif 000002
【特許請求の範囲】
【請求項１】
保持枠の照明用開口部から保持枠内に挿入する略円筒形状の発光管と、保持枠の照明用開口部から保持枠内に挿入し且つ発光管の一端部に設ける一端側ホルダと、保持枠の照明用開口部から保持枠内に挿入し且つ発光管の他端部に設ける他端側ホルダとを備え、各ホルダは、内部に設けた発光管回転規制部と、外周部に設けて保持枠に係止する被係止部とを有し、発光管の各端部から端部側外周面に係脱自在に被着していることを特徴とする照明装置。
【請求項２】
発光管は一端部及び他端部に保持枠の長手方向を向く傾斜面を有し、各発光管回転規制部は発光管の傾斜面の傾斜方向中間部に当接していることを特徴とする請求項１に記載の照明装置。
【請求項３】
一端側ホルダの被係止部は、保持枠の長手方向に設けた一端側ホルダ係止溝に係止し、他端側ホルダの被係止部は、保持枠の長手方向に設けてあり且つ一端側ホルダ係止溝と異なる方向に開口する他端側ホルダ係止溝に係止していることを特徴とする請求項１に記載の照明装置。
【請求項４】
保持枠と、保持枠の照明用開口部から保持枠内に挿入する略円筒形状の発光管と、保持枠の照明用開口部から保持枠内に挿入し且つ発光管の一端部から発光管の一端部側外周面に係脱自在に被着する一端側ホルダと、保持枠の照明用開口部から保持枠内に挿入し且つ発光管の他端部から発光管の他端部側外周面に係脱自在に被着する他端側ホルダと、保持枠の照明用開口部から保持枠内に挿入して各ホルダの回転を防止する回転防止部材とを備え、保持枠は、一端側ホルダ係止溝と、他端側ホルダ係止溝と、回転防止部材係止溝とをそれぞれ長手方向に有し、一端側ホルダ係止溝と他端側ホルダ係止溝とは異なる方向に開口しており、回転防止部材はホルダを挿通して保持枠の回転防止部材係止溝に係止していることを特徴とする照明装置。
【発明の詳細な説明】
【０００１】
【発明の属する技術分野】
本発明は、照明装置に関する。
【０００２】
【従来の技術】
この種の従来技術として、特許文献１には、保持枠内の照明用開口部から発光管を挿入して保持枠にホルダを取り付ける技術が開示されている。この特許文献１では、保持枠に長手方向のボルト係止溝を設けてあり、保持枠の端からボルトをボルト係止溝の端から所要位置にスライドして、発光管のホルダをボルトにナットで保持枠内に固定するものである。
【０００３】
【特許文献１】
特開平１１−１１７２２８号公報
【０００４】
【発明が解決しようとする課題】
しかし、上述の特許文献１に開示の技術では、ホルダと保持枠の固定は、ボルトとナットを締結する必要があるので、施工に手間がかかるという問題がある。
また、上述の特許文献には発光管とホルダとの固定について開示はないが、一般的には、ホルダを発光管にねじ等により固定しており、かかるねじ止め作業に手間が係るという問題がある。
更に、発光管の交換やメンテナンスをおこなうためには、ホルダと一緒に発光管を保持枠から外し、次に、発光管からホルダを外し、新たな発光管をホルダに取り付けて、ホルダを保持枠に固定し直さなければならないので、発光管のメンテナンスに手間がかかるという問題がある。
そこで、本発明は、ねじ止めやナット締めをすることなく、発光管とホルダの取り付け及び、保持枠とホルダとの取り付けができ且つ発光管の交換やメンテナンスが容易にできる照明装置の提供を目的とする。
【０００５】
【課題を解決するための手段】
請求項１に記載の発明は、保持枠の照明用開口部から保持枠内に挿入する略円筒形状の発光管と、保持枠の照明用開口部から保持枠内に挿入し且つ発光管の一端部に設ける一端側ホルダと、保持枠の照明用開口部から保持枠内に挿入し且つ発光管の他端部に設ける他端側ホルダとを備え、各ホルダは、内部に設けた発光管回転規制部と、外周部に設けて保持枠に係止する被係止部とを有し、発光管の各端部から端部側外周面に係脱自在に被着していることを特徴とする。
【０００６】
この請求項１に記載の発明では、保持枠への照明装置の取り付けは、各ホルダを保持枠の照明用開口部から保持枠内に挿入して各ホルダの被係止部を保持枠に係止し、両ホルダの間に発光管を配置して、両ホルダを発光管を挟むように移動して、発光管の一端側と他端側とに被着する。したがって、本発明では、ねじ止めやナットの締結作業をすることなく、発光管とホルダとの取り付け及びホルダと保持枠との取り付けができる。
発光管の交換やメンテナンスを行なう場合には、各ホルダを保持枠に係止したまま、各ホルダを発光管から離す方向にスライドすることにより、保持枠に各ホルダを取り付けたまま発光管のみを取り外すことができ、発光管の取り付けもこれと逆にホルダの照明用開口部に挿入して保持枠内に係止してあるホルダをスライドすることにより発光管端部に被着できるので、ホルダを保持枠から外すことなく、発光管の交換やメンテナンスができる。
各ホルダは、発光管の回転規制と保持枠への係止との２つの機能を有するので、これらの機能毎の部材を設ける場合に比較して、構成が簡易で且つ部品点数を少なくできる。
【０００７】
請求項２に記載の発明は、請求項１に記載の発明において、発光管は一端部及び他端部に保持枠の長手方向を向く傾斜面を有し、各発光管回転規制部は発光管の傾斜面の傾斜方向中間部に当接していることを特徴とする。
【０００８】
この請求項２に記載の発明では、請求項１に記載の発明と同様な作用効果を奏するとともに、発光管の端部に各ホルダを被着すると、発光管回転規制部が発光管の端部の傾斜面にその傾斜方向中間部で当接し、発光管回転規制部は発光管の長手方向及びその周方向の二方向の移動を規制する。
したがって、ホルダの内部に発光管回転規制部を形成し、且つ発光管の端部に傾斜面を形成するだけで発光管の回転を規制でき、構成が簡単であるとともに別途部品を必要しないから、部品点数が少なくて済む。
【０００９】
請求項３に記載の発明は、請求項１に記載の発明において、一端側ホルダの被係止部は、保持枠の長手方向に設けた一端側ホルダ係止溝に係止し、他端側ホルダの被係止部は、保持枠の長手方向に設けてあり且つ一端側ホルダ係止溝と異なる方向に開口する他端側ホルダ係止溝に係止していることを特徴とする。
【００１０】
この請求項３に記載の発明では、請求項１に記載の発明と同様な作用効果を奏するとともに、一端側ホルダ係止溝と他端側ホルダ係止溝とは互いに異なる方向に開口しているので、保持枠に対して発光管と各ホルダとが一体となって連れ回りして、保持枠から離脱するのを防止できる。
【００１１】
請求項４に記載の発明は、保持枠と、保持枠の照明用開口部から保持枠内に挿入する略円筒形状の発光管と、保持枠の照明用開口部から保持枠内に挿入し且つ発光管の一端部から発光管の一端部側外周面に係脱自在に被着する一端側ホルダと、保持枠の照明用開口部から保持枠内に挿入し且つ発光管の他端部から発光管の他端部側外周面に係脱自在に被着する他端側ホルダと、保持枠の照明用開口部から保持枠内に挿入して各ホルダの回転を防止する回転防止部材とを備え、保持枠は、一端側ホルダ係止溝と、他端側ホルダ係止溝と、回転防止部材係止溝とをそれぞれ長手方向に有し、一端側ホルダ係止溝と他端側ホルダ係止溝とは異なる方向に開口しており、回転防止部材はホルダを挿通して保持枠の回転防止部材係止溝に係止していることを特徴とする。
【００１２】
この請求項４に記載の発明では、各ホルダを被着した発光管を保持枠の照明用開口部から保持枠内に挿入して各ホルダの被係止部を保持枠に係止することにより、ねじ止めをすることなく、発光管と各ホルダの取り付け、及び保持枠とホルダの取り付けができる。
発光管の交換やメンテナンスを行なう場合には、各ホルダを保持枠に係止したまま、各ホルダを係止溝に沿って発光管から離す方向にスライドすることにより、保持枠に各ホルダを取り付けたまま発光管のみを取り外すことができ、発光管の取り付けもこれと逆にホルダの照明用開口部に挿入して保持枠内に係止してあるホルダを係止溝に沿ってスライドすることにより発光管に各ホルダを被着できるので、ホルダを保持枠から外すことなく、発光管の交換やメンテナンスができる。
一端側ホルダ係止溝と他端側ホルダ係止溝とは互いに異なる方向に開口しているので、発光管と発光管に被着した各ホルダとが一体となって連れ回りするのを防止でき、発光管に被着したホルダが保持枠から離脱するのを防止できる。
各ホルダでは回転防止防部材が保持枠の係止溝に係止しているので、例えば、発光管のメンテナンスや交換のために、発光管をホルダから外した場合でも、ホルダは、被係止部と回転防止部材とが枠部材の係止溝に係止しているので、枠部材から離脱するのを防止できる。
【００１３】
【発明の実施の形態】
以下に、添付図面を参照して、本発明の実施の形態を詳細に説明する。図１の（ａ）は図２のＡ−Ａ断面図であり、（ｂ）は（ａ）に示す発光管に各ホルダを被着した状態を抜き出して示す縦断面図であり、図２は本発明の実施の形態にかかる照明装置を装備した高欄の正面図である。
本実施の形態にかかる照明装置１は、高欄３において、架木５の下面に装着されて、架木５の下方を照明するものである。
照明装置１は、保持枠７、発光管９と、発光管９の一端部９ａに被着する一端部側ホルダ１１と、発光管９の他端部９ｂに被着する他端部側ホルダ１３と、各ホルダ１１、１３に設けた回転防止部材１４とを備えている。
保持枠７には、発光管９と一端側ホルダ１１及び他端側ホルダ１３とを収納する照明用開口部１５が設けてあり、照明用開口部１５は保持枠７の長手方向に設けた照明用装着溝１７の開口である。
装着溝１７には略円弧状の溝底２５が設けてあり、溝底２５には、一端側ホルダ係止溝１９と、他端側ホルダ係止溝２１と、回転防止部材係止溝２３とがそれぞれ保持枠７の長手方向に形成されており、回転防止部材係止溝２３は、一端側ホルダ係止溝１９と他端側ホルダ係止溝２１との間に配置されている。また、一端側ホルダ係止溝１９と、他端側ホルダ係止溝２１とは、保持枠の溝底２５に沿って略円弧状に形成されており、各溝の開口１９ａ、２１ａは互いに異なる方向に開口している。本実施の形態では、各溝の開口１９ａ、２１ａは周方向で互いに対向する方向に開口している。回転防止部材係止溝２３は保持枠７の溝底２５に略直交する方向に開口しており、３つの各係止溝１９、２１、２３の開口１９ａ、２１ａ、２３ａは相互に異なる方向に開口している。
発光管９は、長尺の円筒管であり、その長手方向にＬＥＤ２６が複数設けてある。発光管の一端部９ａには、長手方向を向く傾斜面２７が形成されており、端端部９ｂにも長手方向を向く傾斜面２９が形成されており、且つ傾斜面２７及び２９は互いに傾斜方向を反対にしている。
一端側ホルダ１１と他端側ホルダ１３とは、それぞれ発光管９の端部９ａ、９ｂに被着されており、略円筒形状を成している。各ホルダ１１、１３の内部にはそれぞれ発光管９の発光管回転規制部３１が設けられている。この発光管回転規制部３１はホルダ１１、１３の発光管９が挿入される側と反対側からホルダ１１、１３の中心軸線に沿ってホルダの略中間部まで設けた突条であり、ホルダ１１、１３に発光管９の各端部９ａ、９ｂが挿入されると、各端部９ａ、９ｂの傾斜面２７、２９が傾斜方向の中間部で、それぞれに被着するホルダ１１、１３の発光管回転規制部３１に当接している。
発光管回転規制部３１は、各ホルダ１１、１３の内部において、対向した位置に設けられている。
一端側ホルダ１１と他端側ホルダ１３には、それぞれの外周部に被係止部３３、３５が設けてられている。被係止部３３、３５はそれぞれ略Ｌ字形状を成して各ホルダ１１、１３の周方行に突設しており、対応する一端側ホルダ係止溝１９と、他端側ホルダ係止溝２１にそれぞれ係止されている。
また、一端側ホルダ１１と他端側ホルダ１３との各外周面には、それぞれ回転防止部材１４の挿通孔３７と、挿通孔３７に対抗する位置にねじ孔３９が形成されている。
回転防止部材１４は、ねじであり、一端側ホルダ１１と他端側ホルダ１３との各側面からホルダ１１、１３内に挿通して、ねじ孔３９に螺合して回転防止部材１４の先端をホルダの外周面から外側に突設している。回転防止部材１４の先端は保持枠７の回転防止部材係止溝２３に係止されており、保持枠７に対する各ホルダ１１、１３の回転が防止されている。
【００１４】
次に、照明装置１の組み立て及び作用について説明する。保持枠７を架木５の底面にねじ固定し、保持枠７に一端側ホルダ１１及び他端側ホルダ１３を装着する。保持枠７に各ホルダ１１、１３を被着する場合には、一端側ホルダ１１及び他端側ホルダ１３を保持枠７の照明用開口部１５から保持枠内に挿入し、各ホルダ１１、１３を回転させて、一端側ホルダ１１及び他端側ホルダ１３の外周面に設けている被係止部３３、３５をそれぞれ対応する一端側ホルダ係止溝１９と、他端側ホルダ係止溝２１とに係止する。この場合、一端側ホルダ係止溝１９の開口１９ａと、他端側ホルダ係止溝２１の開口２１ａとは互いに対向する方向（異なる方向）に開口しているので、各ホルダ１１、１３を反対方向に回転させる。
次に、各ホルダ１１、１３に回転防止部材１４を挿通して、回転防止部材１４を保持枠７の回転防止部材係止溝２３に係止する。本実施の形態では回転防止部材１４はねじであるから、ドライバにより簡単に取り付けできる。
このように、回転防止部材１４が回転防止部材係止溝２３に係止し且つ各ホルダ１１、１３被係止部３３、３５がそれぞれのホルダ係止溝１９、２１に係止すると、各ホルダ１１、１３は、それぞれ周方向の２箇所（被係止部と回転防止部材）で保持枠７に係止され且つ回転が防止されているので、各ホルダ１１、１３は保持枠７から脱落することなく、それぞれ一端側係止溝１９と他端側係止溝２１に沿って保持枠７内を移動自在となる。
そして、一端側ホルダ１１と他端側ホルダ１３とを保持枠７の長手にスライドさせて両者の間隔をあけて、各ホルダ１１、１３の間に、照明用開口部１５から保持枠７内に発光管９を挿入し、発光管９の各端部９ａ、９ｂを挟むように各ホルダ１１、１３を移動する。そうすると、各ホルダ１１、１３の発光管回転規制部３１が発光管９の各端部の傾斜面２７、２９に傾斜方向略中央部で当接し、各ホルダ１１、１３に対する発光管９の回転が規制される。
以上のようにして、発光管９が一端側ホルダ１１及び他端側ホルダ１３とともに保持枠７内に装着される。尚、本実施の形態では、回転防止部材１４はねじであるから、ねじを締め付けるとホルダの被係止部３３、３５と対応するホルダ係止溝１９、２１とが強く係止されて長手方向への移動ができなくなるように固定することができる。
本実施の形態によれば、各ホルダ１１、１３を保持枠７に照明用開口部１５から挿入して回転させて保持枠７に係止し、次に照明用開口部１５から挿入した発光管９を挟むようにして各ホルダ１１、１３を長手方向に移動させるだけで、保持枠７に照明装置１を用意に取り付けでき、ねじ止めやナットによる螺合などの締め付け作業が必要ないので、作業性に優れる。
各ホルダ１１、１３は、発光管９の回転規制と保持枠７への係止との２つの機能を有するので、これらの機能毎の部材を設ける場合に比較して、部品点数を少なくできる。
また、発光管９の交換やメンテナンスを行なう場合には、回転防止部材係止溝２３に対して回転防止部材１４を緩めて（あるいは取り外して）、各ホルダ１１、１３を発光管９から離れるように長手方向に移動させて、各ホルダ１１、１３から発光管９を外す。そして、新しい発光管や改修した発光管は、保持枠７に係止してあるホルダ１１、１３間に配置して上述したように、各ホルダ１１、１３を発光管９を挟むようにして移動させることにより、ホルダ１１、１３に発光管９を被着できる。
このように、各ホルダ１１、１３を保持枠７に係止したまま、各ホルダ１１、１３を発光管９から離す方向にスライドすることにより、保持枠７に各ホルダ１１、１３を装着したまま発光管９のみを取り外すことができ、発光管９の被着もこれと逆に保持枠７の照明用開口部１５に挿入して各ホルダ１１、１３をスライドすることにより行なうことができるので、発光管９の交換やメンテナンスが容易にできる。
各ホルダ１１、１３は、発光管９の回転規制と保持枠への係止との２つの機能を有するので、これらの機能毎の部材を設ける場合に比較して、部品点数を少なくできる。
【００１５】
本発明は、上述した実施の形態に限らず、本発明の要旨を逸脱しない範囲で種々変形可能である。
例えば、回転防止部材１４は、ねじに限らず、略Ｖ状に折り曲げてＶ字の開き方向に付勢する板ばねとし、この板ばねの開き側端部を回転防止部材係止溝２３に挿入して係止するものであってもよい。
一端側ホルダ係止溝１９と他端側ホルダ係止溝２１とはそれぞれ異なる方向に開口していればよく、周方向に対向して開口していることに限らない。
一端側の傾斜面２７と他端部側の傾斜面２９との傾斜方向は異なる方向に傾斜することに限定されず、たとえば、互いに平行に傾斜していてもよい。
各ホルダ１１、１３において、発光管回転規制部３１は、内周側面に設けた突条に限らず、たとえば、内部を軸線方向に区画するように板状に設けたものであってもよい。
発光管９はＬＥＤに限らず、蛍光灯等の他の照射手段であってもよい。
保持枠７は高欄に限らず、室内の照明装置や外灯等にも使用でき、保持枠の取り付け場所や用途は限定されない。
【００１６】
【発明の効果】
請求項１に記載の発明によれば、各ホルダを保持枠の照明用開口部から保持枠内に挿入して各ホルダの被係止部を保持枠に係止し、両ホルダの間に発光管を配置して、両ホルダを発光管を挟むように移動することにより、保持枠に照明装置を取り付けできるので、ねじ止めやナットの締結作業をすることなく、発光管とホルダとの取り付け及びホルダと保持枠との取り付けができる。
発光管の交換やメンテナンスを行なう場合には、各ホルダを保持枠に係止したまま、各ホルダを発光管から離す方向にスライドすることにより、保持枠に各ホルダを装着したまま発光管のみを取り外すことができ、発光管の取り付けもこれと逆にホルダの照明用開口部に挿入して保持枠内に係止してあるホルダをスライドして発光管に被着することができるので、ホルダを保持枠から外すことなく、発光管の交換やメンテナンスができる。
各ホルダは、発光管の回転規制と保持枠への係止との２つの機能を有するので、これらの機能毎の部材を設ける場合に比較して、構成が簡易で且つ部品点数を少なくできる。
【００１７】
請求項２に記載の発明によれば、請求項１に記載の発明と同様な効果を奏するとともに、発光管の端部に各ホルダを被着すると、発光管回転規制部が発光管の端部の傾斜面にその傾斜方向中間部で当接し、発光管回転規制部は発光管の長手方向及びその周方向の二方向の移動を規制することができ、構成が簡単であるとともに別途部品を必要しないから、部品点数が少なくて済む。
【００１８】
請求項３に記載の発明によれば、請求項１に記載の発明と同様な効果を奏するとともに、一端側ホルダ係止溝と他端側ホルダ係止溝とは互いに異なる方向に開口しているので、保持枠に対して発光管と各ホルダとが一体となって連れ回りして保持枠から離脱するのを防止できる。
【００１９】
請求項４に記載の発明では、各ホルダを被着した発光管を保持枠の照明用開口部から保持枠内に挿入して各ホルダの被係止部を保持枠に係止することにより、ねじ止めをすることなく、発光管とホルダとの取り付け及びホルダと保持枠との取り付けができる。
発光管の交換やメンテナンスを行なう場合には、各ホルダを保持枠に係止したまま、各ホルダを係止溝に沿って発光管から離す方向にスライドすることにより、保持枠に各ホルダを装着したまま発光管のみを取り外すことができ、発光管の被着もこれと逆にホルダの照明用開口部に挿入して保持枠内に係止してあるホルダを係止溝に沿ってスライドすることにより行なうことができるので、ホルダを保持枠から外すことなく、発光管の交換やメンテナンスができる。
一端側ホルダ係止溝と他端側ホルダ係止溝とは互いに異なる方向に開口しているので、発光管と発光管に被着した各ホルダとが一体となって連れ回りするのを防止でき、発光管に被着したホルダが保持枠から離脱するのを防止できる。
各ホルダでは回転防止防部材が保持枠の係止溝に係止しているので、例えば、発光管のメンテナンスや交換のために、発光管をホルダから外した場合でも、ホルダは被係止部と回転防止部材とが枠部材の係止溝に係止しているので、枠部材から離脱するのを防止できる。
【図面の簡単な説明】
【図１】（ａ）は図２のＡ−Ａ断面図であり、（ｂ）は（ａ）に示す発光管に各ホルダを被着した状態を抜き出して示す縦断面図である。
【図２】本発明の実施の形態にかかる照明装置を装備した高欄の正面図である。
【符号の説明】
１      照明装置
７      保持枠
９      発光管
９ａ    一端部
９ｂ    他端部
１１    一端側ホルダ
１３    他端側ホルダ
１４    回転防止部材
１５    照明用開口部
１９    一端側ホルダ係止溝
２１    他端側ホルダ係止溝
２３    回転防止部材係止溝
２７    傾斜面
２９    傾斜面
３１    発光管回転規制部
３３    被係止部
３５    被係止部
【図１】
2004288591.tif 000003
【図２】
2004288591.tif 000004